(57)【要約】【課題】撮像素子による撮像画像と超音波断層画像とを同一画面で違和感の無い色の画像で観察する。【解決手段】先端部に超音波プローブと撮像素子とを搭載した内視鏡３と、内視鏡３から出力される撮像素子による撮像画像信号を画像処理すると共に赤色寄りの画像信号として生成し出力する映像用画像プロセッサ５と、内視鏡３から出力される超音波プローブの検出信号を画像処理する共に青色寄りの画像信号として生成し且つ映像用画像プロセッサ５の出力信号とピクチャインピクチャで混合するミキサ７ｂを有する超音波用画像プロセッサ７と、超音波用画像プロセッサ７の出力信号を画面に画像として表示するモニタ装置９と、映像用画像プロセッサ５とミキサ７ｂとの間に設けられた赤色強調を行う補正回路１１とを備える。【選択図】図１
2010005279.tif 000002
【特許請求の範囲】
【請求項１】
先端部に超音波プローブと撮像素子とを搭載した内視鏡と、
該内視鏡から出力される前記撮像素子による撮像画像信号を画像処理し、赤色寄りの画像信号を生成して出力する映像用画像プロセッサと、
前記内視鏡から出力される前記超音波プローブの検出信号を画像処理し、青色寄りの画像信号を生成するとともに、この青色寄りの画像信号と前記映像用画像プロセッサの出力信号とをピクチャインピクチャで混合するミキサを有する超音波用画像プロセッサと、
該超音波用画像プロセッサの出力信号に基づく画像を表示するモニタ装置と、
前記映像用画像プロセッサと前記ミキサとの間に設けられた赤色強調を行う補正回路とを備える超音波内視鏡装置。
【請求項２】
請求項１記載の超音波内視鏡装置であって、
前記補正回路は、前記モニタ装置との間で情報授受を行い該モニタ装置の色調整設定値に基づき前記赤色強調を行うことを特徴とする超音波内視鏡装置。
【請求項３】
先端部に超音波プローブと撮像素子とを搭載した内視鏡と、
該内視鏡から出力される前記撮像素子による撮像画像信号を画像処理し、画像信号を生成して出力する映像用画像プロセッサと、
前記内視鏡から出力される前記超音波プローブの検出信号を画像処理し、画像信号を生成するとともに、この画像信号と前記映像用画像プロセッサの出力信号とをピクチャインピクチャで混合するミキサを有する超音波用画像プロセッサと、
該超音波用画像プロセッサの出力信号に基づく画像を表示するモニタ装置と、
前記映像用画像プロセッサと前記ミキサとの間に設けられた所定の強調を行う補正回路とを備え、
前記補正回路は、前記モニタ装置との間で情報授受を行い、
少なくとも前記モニタ装置の色調整設定値とディフォルト値との差分をキャンセルするように色補正することを特徴とする超音波内視鏡装置。
【発明の詳細な説明】
【技術分野】
【０００１】
本発明は超音波プローブと撮像素子とが搭載された超音波内視鏡装置に関する。
【背景技術】
【０００２】
超音波内視鏡装置は、食道や胃，腸等の体腔内に挿入する細長い挿入部を持ち、この挿入部の先端部に、超音波プローブが取り付けられている。しかし、挿入部先端を目的部位に到達するまで挿入するには、どこまで挿入したかをモニタ画面で確認しながら内視鏡を操作する必要があり、このため、挿入部先端には撮像素子も搭載され、撮像素子による撮影画像もモニタ表示される様になっている。
【０００３】
超音波プローブにより取得された超音波断層画像と、撮像素子により取得された撮影画像とを別々のモニタに表示するものもあるが、近年では、両画像を１つのモニタ画面にピクチャインピクチャ機能により、親画面，子画面として同時に表示するが普通になってきている。
【０００４】
この様な超音波内視鏡装置として、例えば下記の特許文献１に記載されている様に、親画面の色合い等を調整する操作ツマミとは別に、子画面の色調整を独立にできる赤色調整ツマミと青色調整ツマミを設けたものがある。
【０００５】
【特許文献１】特開平７―１９４５９８号公報（段落〔００５５〕）
【発明の開示】
【発明が解決しようとする課題】
【０００６】
超音波内視鏡装置は、超音波プローブからの信号を処理して断層画像データを生成する超音波用の画像処理プロセッサと、撮像素子からの信号を処理して撮影画像データを生成する光学画像用の画像処理プロセッサの２つを搭載している。
【０００７】
これに更に、親画面の色調整を行う操作装置と、子画面の色調整を行う操作装置とを独立に持つ構成にすれば、親画面，子画面ともに見易い画像が得られることになる。しかし、子画面用の調整内容が親画面側に影響を与えないように装置全体の構成を変える必要が生じるため、超音波内視鏡装置の製造コストが嵩み、高価な装置になってしまう。
【０００８】
本発明の目的は、低コストで両画面共に見やすい画像を得ることができる超音波内視鏡装置を提供することにある。
【課題を解決するための手段】
【０００９】
本発明の超音波内視鏡装置は、先端部に超音波プローブと撮像素子とを搭載した内視鏡と、該内視鏡から出力される前記撮像素子による撮像画像信号を画像処理すると共に赤色寄りの画像信号として生成し出力する映像用画像プロセッサと、前記内視鏡から出力される前記超音波プローブの検出信号を画像処理する共に青色寄りの画像信号として生成し且つ前記映像用画像プロセッサの出力信号とピクチャインピクチャで混合するミキサを有する超音波用画像プロセッサと、該超音波用画像プロセッサの出力信号を画面に画像として表示するモニタ装置と、前記映像用画像プロセッサと前記ミキサとの間に設けられた赤色強調を行う補正回路とを備える。
【００１０】
本発明の超音波内視鏡装置の前記補正回路は、前記モニタ装置との間で情報授受を行い該モニタ装置の色調整設定値に基づき前記赤色強調を行うことを特徴とする。
【００１１】
本発明の超音波内視鏡装置は、先端部に超音波プローブと撮像素子とを搭載した内視鏡と、該内視鏡から出力される前記撮像素子による撮像画像信号を画像処理し、画像信号を生成して出力する映像用画像プロセッサと、前記内視鏡から出力される前記超音波プローブの検出信号を画像処理し、画像信号を生成するとともに、この画像信号と前記映像用画像プロセッサの出力信号とをピクチャインピクチャで混合するミキサを有する超音波用画像プロセッサと、該超音波用画像プロセッサの出力信号に基づく画像を表示するモニタ装置と、前記映像用画像プロセッサと前記ミキサとの間に設けられた所定の強調を行う補正回路とを備え、  前記補正回路は、前記モニタ装置との間で情報授受を行い、少なくとも前記モニタ装置の色調整設定値とディフォルト値との差分をキャンセルするように色補正することを特徴とする。
【発明の効果】
【００１２】
本発明によれば、補正回路を追加するだけで、超音波用画像プロセッサと映像用画像プロセッサに改変を加えることなく、撮像画像と断層画像とを違和感の無い夫々の色合いの画像として同一画面で観察することができる。
【発明を実施するための最良の形態】
【００１３】
以下、本発明の実施形態について、図面を参照して説明する。
【００１４】
図１は、本発明の実施形態を説明するための超音波内視鏡装置の全体構成図である。この超音波内視鏡装置１は、内視鏡３と、映像用画像プロセッサ５と、超音波用画像プロセッサ７と、液晶モニタ装置９と、赤色だけを調整できる補正回路としての赤強調回路１１とを備えて構成され、更にはファイリング装置１３に接続される。
【００１５】
内視鏡３は、先端部に図示省略の超音波プローブと撮像素子とが搭載され、撮像素子からの撮像画像信号は映像用画像プロセッサ５に接続され、超音波プローブからの信号は超音波用画像プロセッサ７に接続される。
【００１６】
映像用画像プロセッサ５は、取り込んだ撮像画像信号を画像処理し、モニタ装置９と、赤強調回路１１とに出力する。
【００１７】
超音波用画像プロセッサ７は、超音波プローブから取り込んだ信号を画像処理し、モニタ装置９に出力する。モニタ装置９への出力信号が、外部のファイリング装置１３にも接続されていれば、モニタ装置９への出力信号は、ファイリング装置１３に格納保存される。
【００１８】
モニタ装置９には、映像用画像プロセッサ５からの信号配線と、超音波用画像プロセッサ７からの信号配線とが両方とも接続され、通常時には、超音波用画像プロセッサ７からの信号が優先されモニタ表示される。超音波用画像プロセッサ７の電源スイッチがオフになったとき、モニタ装置９は、映像用画像プロセッサ５からの信号を全画面表示する。
【００１９】
赤強調回路１１は、映像用画像プロセッサ５がモニタ装置９に出力するのと同じ画像信号を取り込み、赤色強調処理を行い、超音波用画像プロセッサ７に出力する。この赤強調回路１１には、調整器１１ａがついており、赤色の強調程度がマニュアル操作可能となっている。
【００２０】
超音波用画像プロセッサ７は、超音波プローブからの信号を受け取って画像処理するプロセッサ部７ａと、ミキサ７ｂとを備える。ミキサ７ｂは、超音波画像信号と赤強調回路１１からの出力信号とを混合し、ピクチャインピクチャにより、例えば超音波断層画像信号をモニタ装置９の親画面９ａに表示し、赤強調回路１１からの出力信号を子画面９ｂに表示する。
【００２１】
ミキサ７ｂは、赤強調回路１１からの信号を受信しないときは、子画面７ｂの表示画像データは作成せずに、超音波断層画像信号を、モニタ装置９に全画面表示する。
【００２２】
超音波による断層画像は、超音波内視鏡による画像に限らず、慣習的に、青っぽい画像で表示される。このため、超音波内視鏡による断層画像も、青色寄りの画像でないと、この断層画像を観察する医者も違和感を持つため、超音波用画像プロセッサ７は、青色寄りの画像を生成し出力する仕様となっている。画像を青色寄りにするには、画像信号のうち、赤色信号を弱め、輝度を高めにすることで行われる。
【００２３】
これに対し、撮像素子による撮影画像は、例えば血管などが明瞭に見えるように、赤色寄りの画像が好まれている。赤色寄り画像は、画像信号のうち、赤色を強めることで行われる。
【００２４】
映像用画像プロセッサ５は、赤色寄りの画像を生成し出力するが、もし、この出力信号を、赤強調回路１１を通さずに超音波用画像プロセッサ７に入力すると、青色寄りの画像とすべく赤色が弱められる処理が超音波用画像プロセッサ７で行われる。この結果、子画面９ｂに表示される画像は、赤色寄りでない画像が表示され、内視鏡画像を見慣れた医者から見ると、違和感のある色の悪い画像になってしまう。
【００２５】
この不具合は、映像用画像プロセッサ５で、更に赤色を強調した画像信号を生成し出力する仕様にすれば解消するが、このとき、超音波用画像プロセッサ７の電源がオフされ、映像用画像プロセッサ５の出力信号がモニタ装置９に全画面表示されると、赤色が強調されすぎた画像が表示されてしまうことになる。
【００２６】
そこで、本実施形態では、映像用画像プロセッサ５と超音波用画像プロセッサ７のミキサ７ｂとの間に、赤色強調を行う赤強調回路１１を介挿する。これにより、親画面９ａに表示された超音波断層画像は青っぽい画像として表示され、子画面９ｂに表示された撮像素子の撮像画像は、赤っぽい画像として表示され、両画像共に、違和感の画像となる。
【００２７】
また、ファイリング装置１３に、超音波用画像プロセッサ７の出力画像信号を格納保存すれば、後日、このファイリングされた画像データを見ても、親画面９ａ，子画面９ｂ共に違和感のない色の画像が表示される。
【００２８】
本実施形態では、赤強調回路１１を設けこの赤強調回路１１で赤色強調だけを行う構成としたため、映像用画像プロセッサ５や超音波用画像プロセッサ７に改変を加えることなく、通常仕様のプロセッサ５，７を使用でき、低コストで実現可能となる。赤強調回路１１は、映像用画像プロセッサ５の筐体内に収納しても、超音波用画像プロセッサ７の筐体内に収納しても、また、図示する様に単体構成としても良い。
【００２９】
図示する超音波内視鏡装置１には、点線１５でモニタ装置９と赤強調回路１１とを接続している。モニタ装置９に、その色調整設定値を外部出力する機能（有線や無線）を持っていれば、点線１５に示す様に、その色調整設定値を赤強調回路１１が取り込み、モニタ設定値とディフォルト値との差分をキャンセルするように、子画面９ｂの画像表示が違和感のない色の画像となる様な赤色強調（または赤色低減）を自動的に行う。
【００３０】
また、モニタ装置９に色調整設定値をディフォルト値に戻す外部端子があれば、赤強調回路１１がディフォルト値に戻す指示を出して、ディフォルト値で子画面９ｂの画像表示が違和感のない色の画像となるような赤色強調を自動的に行う。
【００３１】
以上述べた様に、上述した実施形態によれば、赤強調回路１１を追加するだけで、プロセッサ５，７の構成に改変を加えることなく、青っぽい超音波断層画像と赤っぽい撮像画像とを同一画面に表示することが可能となる。
【産業上の利用可能性】
【００３２】
本発明によれば、青っぽい超音波断層画像と赤っぽい撮像画像とを同一画面に表示することを低コストで実現できるため、超音波内視鏡装置に適用すると有用である。
【図面の簡単な説明】
【００３３】
【図１】本発明の一実施形態に係る超音波内視鏡装置の構成図である。
【符号の説明】
【００３４】
１  超音波内視鏡装置
３  内視鏡
５  映像用画像プロセッサ
７  超音波用画像プロセッサ
７ａ  プロセッサ部
７ｂ  ミキサ
９  モニタ装置
９ａ  親画面
９ｂ  子画面
１１  補正回路（赤色強調回路）
１３  ファイリング装置
【図１】
2010005279.tif 000003